(57)【要約】【課題】細紐やテープに簡単に付帯し、束ね括る対象物に回周させた細紐やテープの輪形の形成と維持、並びにその輪形部分長を変更するための引き締め緩めの繰り返し、及び輪形から束ね括り中の対象物の即解放と復旧が容易な細紐・テープ留めピンを導出すること。【解決手段】周知の摩擦力が接触面の状態と荷重に左右されるという物性に基づき、適度の弾性や表面粘性或いは可撓性をもつ素材を用い、その特性と素材の具象化形態であるＶ字形形態の鋭角部位への細紐やテープの引き込み角度、或いは細紐やテープが通り抜けているＯ字形形態の環部位の環縮小度合を制御することによって、当該部位の接触面摩擦力の強さを変えて、当該部位で細紐やテープが擦り動ける融通性とその融通性を制限した固着性とが随意に切り替わるようしておき、且つ前述２形態の連携で、輪形の形成と維持、輪形の即解放と復旧及び細紐やテープへの簡単付帯を実現させる。【選択図】図１
0003126960.tif 000002
【実用新案登録請求の範囲】
【請求項１】
細長く可撓性に富み若干の復元性を伴う素材をＯ字形形態とし、その環部位に小丸掛け受け形状と尻尾様の引き端形状が付けてあり、そのＯ字形形態の環部位を通して引き入れた細紐やテープとの接触面摩擦力が、素材の特性と当該形態形状並びに引き入れている細紐やテープの動きの累加的効果によって制御されるようにし、別に、細長で硬く弾性に富み適度の表面粘性を伴う素材をＶ字形形態とし、その他端に指曲げ形引っ掛け形状が付けてあり、そのＶ字形形態の鋭角部位を通して引き入れた細紐やテープとの接触面摩擦力が、素材の特性と当該部位の形態形状並びに引き入れている細紐やテープの動きの累加的効果によって制御されるようにしておいて、当該の接触面摩擦力の強弱に応じて、Ｏ字形形態環部位へ或いはＶ字形形態鋭角部位へ引き入れている細紐やテープの任意着目点と当該部位とを固着に至らしめたり固着を解除し擦り動ける融通性へ移行させたりの切り替わりを可能とし、主として、これらの形態部位形状の連携のもとに、その固着や融通性への移行の切り替わりを繰り返し随意に行わせる細紐・テープ留めピン。
【考案の詳細な説明】
【技術分野】
【０００１】  細紐やテープに簡単に付帯し、束ね括る対象物に回周させた細紐やテープの輪形の形成と維持、並びに輪形部分長を変更するための引き締め緩めの繰り返し、輪形で束ね括り中の対象物の即開放や復旧も容易な、細紐・テープ留めピンに関するものである。
【背景技術】
【０００２】  細紐やテープによる束ね括りの煩わしさは、対象物に回周させた細紐やテープを、左右の手指で握り引き締めて交差させ、仮押えしつつ更に指先で細紐やテープ端を絡み合わせ最終の結び留め形へと移行したのち力を加えて引き締めて留める、という一連の複雑な指先動作が伴うことにある。
細紐やテープを用いて、定植した野菜や庭木苗を傷めぬよう手加減を加えつつ生育に応じた補正がし易いよう配慮を加えておく束ね括りに至っては、雑品の束ね括りにも増して煩わしさが増すところである。
然るに依然として関連の改善用品用具の新提案が少ないように見受けられる。
【考案の開示】
【考案が解決しようとする課題】
【０００３】  細紐やテープに簡単に付帯し、細紐やテープ上の着目点と、束ね括る対象物に回周させて形成中の輪形を経た後の当該細紐やテープ上の別に着目した点の双方点間を、互いに至近間隔内から逸脱せぬよう引き留めて形成した輪形を維持しつつ、輪形部分長を変更するための引き締め緩めができる融通性とその融通性を制限した固着性との切り替わりの繰り返しが容易で且つ随意であり、形成中の輪形の即解放や復元も出来る細紐・テープ留めピンを導出すること
【課題を解決する為の手段】
【０００４】  周知の摩擦力が接触面の状態と荷重に左右されるという物性に基づき、選定した素材で具象化したＶ字形形態或いはＯ字形形態へ細紐やテープを引き入れて擦り動かす場合、細紐やテープに加わる接触面摩擦力を、素材の特性とＶ字形形態では鋭角部位で又Ｏ字形形態では環部位によって制御し、当該部位において細紐やテープが擦り動ける融通性とそれを制限した固着性とが切り替わるようにし、その切り替えを繰り返し容易に随意に実施することによって輪形を維持しつつ随意に輪形部分長の変更ができる。
上述２形態に含ませた形状、即ちＯ字形形態の環部位の小丸掛け受け形状とＶ字形形態の他端の指曲げ形引っ掛け形状を連携させて、輪形の形成と維持、細紐やテープへの簡単付帯、及び輪形の即解放や復旧を可能にする。又鋭角部位の端末と環部位の尻尾様引き端によって、それぞれ鋭角角度と環縮小の度合いを司り、細紐やテープに加わる接触面摩擦力の強さの程度を決める。
【考案の効果】
【０００５】  この細紐・テープ留めピンによって、日常の束ね括り作業は所要時間労力ともに軽減される。即ち煩わしい一連の複雑な指先動作が省略されて簡単になるので、前述の野菜や庭木苗の生育を助成する束ね括りやその補正が容易になり、屋内で雑品を束ね括る場合も作業がし易くなって、多忙な日常生活の改善に寄与できる。
【考案を実施するための最良の形態】
【０００６】  硬く細長い素材で、弾性と適度の表面粘性を持つものの一端を２重のＶ字形形態としその他端を指曲げ形引っ掛け形状にする。
Ｖ字形形態へ引き入れる細紐やテープは、外側のＶ字形及び内側Ｖ字形鋭角部位の粘性面を縫って擦り動くように通り抜けさせ、素材の特性並びにＶ字形態とその鋭角部位の鋭角度合い及び細紐やテープの引き込み角度の累加的な効果で細紐やテープに加わる接触面摩擦力の強弱を制御し、擦り動ける融通性とそれを制限した固着性との切り替えを繰り返し随意に行う。鋭角部位の端末で鋭角の度合いを司り、接蝕面摩擦力の強さを決める。
可撓性に常む細長い素材で、若干の復元性を持つものをＯ字形形態としその環部位に小丸掛け受け形状と尻尾様引き端を付する。
Ｏ字形形態の環部位へ引き入れた細紐やテープが擦り動き通り抜けるとき、素材の特性並びにＯ字形形態の環部位の縮小度合い及び細紐やテープの引き方向の累加的効果で細紐やテープに加わる接触面摩擦力の強弱を制御し、擦り動ける融通性とそれを制限した固着性との切り替えを繰り返し随意に行う。環部位に付した尻尾様引き端で環部位の環縮度合いを司り、接触面摩擦力の強さを決める。
Ｏ字形形態の環部位の小丸掛け受け形状は、前述の指曲げ形引っ掛け形状と連携ができ、その連携のもとで、細紐やテープが形成する輪形の維持と細紐やテープへの簡単付帯、束ね括り中の対象物を輪形から即解放し又その復旧が容易に行える。
【実施例】
【０００７】  以下、添付図面に従って一実施例を説明する。
Ｖ字形態１の他端の指曲げ形引っ掛け形状１ｂを、Ｏ字形形態２の小丸状掛け受け形状２ａへ掛けて連携させておき細紐やテープの一部分３へ跨らせてＶ字形形態１をＯ字形形態２へ通り抜けさせると、２を通り抜けている３が現出し２は３へ簡単に付帯する。【０００８】  ２が付帯している３を対象物に回周させ、輪形部分３ａを経た後の当該３の別に着目した点を、Ｖ字形形態１の鋭角部位１ａに引き入れて、輪形部分３ａを形成させる。【０００９】  輪形部分３ａの端をＶ字形形態の鋭角部位１ａへ引き込むときの角度を軸に対する横方向から軸方向に移して当該部位の接触面摩擦力を強めて固着させ、Ｏ字形形態２の環部位で輪形部分３ａに対し引き締め緩めの補正を加えて輪形部分長を適正にした後、環部位の尻尾様引き端２ｂを引いて２を３へ固着させる。輪形部分３ａ両端点がそれぞれ１及び２に固着して出来ている輪形部分３ａは、細紐やテープ３の引き込み角や引き込み方向を元に戻すことによって、細紐やテープ３が１，２を擦り動ける融通性に移行するので、固着と融通性とが切り替わりその繰り返しが容易に随意に選択出来る。
【図面の簡単な説明】
【００１０】
【図１】引き入れた細紐やテープとの接触面摩擦力を制御する形態形状の図
【図２】細紐・テープ留めピンとして細紐やテープへ付帯させる図
【図３】引き入れた細紐やテープの角度や方向と形成した輪形部分の図
【符号の説明】
【００１１】  １    細紐・テープ留めピンのＶ字形形態
１ａ  Ｖ字形形態の鋭角部位とその端末
１ｂ  指曲げ形の引っ掛け形状
２    細紐・テープ留めピンのＯ字形形態と環部位
２ａ  環部位に付いた小丸掛け受け形状
２ｂ  環部位の尻尾様引き端形状
３    細紐・テープ留めピンを付帯させる細紐やテープの一部分
３ａ  細紐やテープが形成している輪形部分
【図１】
0003126960.tif 000003
【図２】
0003126960.tif 000004
【図３】
0003126960.tif 000005